(57)【要約】【課題】定着装置がモーター等から伝達される回転力を加圧力に変換する加圧機構を備える場合に、加圧が解除される前に画像形成装置本体から定着装置が引き出されることを防ぐことを目的とする。【解決手段】定着装置は、回転可能な定着ベルト２１と、定着ベルト２１に接触する加圧ローラー２７と、駆動源から伝達された回転力を、加圧ローラー２７を定着ベルト２１に押し当てる加圧力に変換し、加圧ローラー２７と定着ベルト２１との間に、用紙が挟持搬送される加圧領域を形成する加圧機構３０と、加圧ローラー２７に加圧力を加える加圧動作と連動して画像形成装置本体に嵌まり込み、加圧力を取り除く加圧解除動作の完了と連動して画像形成装置本体から外れるロック機構５０と、を備える。【選択図】図６
2019191363.tif 000002
【特許請求の範囲】
【請求項１】
回転可能な加熱部材と、
前記加熱部材に接触する加圧ローラーと、
駆動源から伝達された回転力を、前記加圧ローラーを前記加熱部材に押し当てる加圧力に変換し、前記加圧ローラーと前記加熱部材との間に、用紙が挟持搬送される加圧領域を形成する加圧機構と、
前記加圧ローラーに前記加圧力を加える加圧動作と連動して画像形成装置本体に嵌まり込み、前記加圧力を取り除く加圧解除動作の完了と連動して前記画像形成装置本体から外れるロック機構と、を備えることを特徴とする定着装置。
【請求項２】
前記加圧機構は、
前記加圧ローラーを挟んで前記加熱部材の反対側において前記加圧ローラーの外周面に平行に配置され、前記駆動源から前記回転力が伝達される回転軸と、
前記回転軸に固定され、前記加圧ローラーを支持する支持部に接触し、前記回転力を前記加圧力に変換する偏芯カムと、を備え、
前記ロック機構は、
前記回転軸に固定された端面カムと、
前記端面カムの端面に接触し、前記定着装置を収容する筐体に設けられた孔を貫通するロックレバーと、
前記ロックレバーを前記筐体の内部へ向かって付勢する付勢手段と、を備え、
前記端面カムの端面は、前記加圧動作における前記偏芯カムの回転により、前記偏芯カムと前記支持部との接触点と、前記偏芯カムの回転中心との距離が増加するにつれて、前記ロックレバーの押し出し量が増加するように傾斜した傾斜部を有し、
前記ロックレバーは、前記加圧解除動作における前記偏芯カムの回転により前記接触点と前記回転中心との距離が前記加圧解除動作の完了に対応する距離以下となった場合に、前記画像形成装置本体から外れることを特徴とする請求項１に記載の定着装置。
【請求項３】
前記偏芯カムが前記加圧解除動作の完了に対応する回転角に位置することを検知する検知手段を備え、
前記加圧機構は、前記加圧解除動作において前記偏芯カムが前記回転角に達したことが前記検知手段により検知されるまで、前記加圧解除動作を継続することを特徴とする請求項１又は２に記載の定着装置。
【請求項４】
前記用紙にトナー像を形成する画像形成部と、
前記トナー像を前記用紙に定着する請求項１乃至３のいずれか１項に記載の定着装置と、
前記ロックレバーが嵌め込まれる孔と、を備えることを特徴とする画像形成装置。
【発明の詳細な説明】
【技術分野】
【０００１】
本発明は、定着装置及び画像形成装置に関する。
【背景技術】
【０００２】
トナーを用紙に定着させる定着装置の一般的な構成は、回転可能な加熱部材（定着ローラー、定着ベルト等）と、加熱部材に接触する加圧ローラーと、加圧ローラーと加熱部材との間に、用紙が挟持搬送される加圧領域を形成する加圧機構とを備え、加圧領域における熱と圧力によりトナーが用紙に定着される、というものである。また、詰まった用紙の除去や保守点検時の作業性を考慮して、定着装置を画像形成装置本体から引き出し可能な構成とされることが多い。
【０００３】
ところで、定着装置は、詰まった用紙の除去や、封筒や薄手の用紙のシワの軽減などを目的として、加圧機構による加圧の解除が可能となっている。また、近年では、省エネルギーに対する要求から、昇温時間短縮のために予め所定の加圧力を加えておく中間圧状態を設定可能な定着装置もあるため、加圧力を調整する機能が不可欠である。そこで、モーター等から伝達される回転力を加圧力に変換するように加圧機構が構成される場合がある。この場合、加圧の解除には、加圧時の逆方向の回転力により加圧力を取り除く必要があるが、加圧が解除される前に画像形成装置本体から定着装置が引き出されると、用紙を除去しにくくなってしまう。また、加圧の解除が検知されないうちに定着装置が引き出されるため、画像形成装置がエラーと判断してサービスコールを発してしまう。
【０００４】
また、近年では、高負荷がかかることを考慮して、回転力の減速比が大きく設定される傾向があり、加圧を解除するのに時間がかかる。そのため、加圧が解除される前に画像形成装置本体から定着装置が引き出される可能性が高まっている。
【０００５】
従来、定着装置の画像形成装置本体に対する脱着に同期して定着装置を加圧状態又は加圧解除状態とする技術が知られている。例えば、特許文献１に記載された定着装置は、ロック部材とカムがレバーと一体化されており、レバーを押し下げると、ロック部材が画像形成装置本体に設けられた切欠きに係合し、同時に、カムが加圧ローラーを加圧状態にする。
【先行技術文献】
【特許文献】
【０００６】
【特許文献１】特開平１０−１２３８７７号公報
【発明の概要】
【発明が解決しようとする課題】
【０００７】
しかし、特許文献１に記載された定着装置は、手動によりロック部材とカムを動作させるように構成されているから、モーター等から伝達される回転力を加圧力に変換する加圧機構には適用することができない。
【０００８】
本発明は、上記事情を考慮し、定着装置がモーター等から伝達される回転力を加圧力に変換する加圧機構を備える場合に、加圧が解除される前に画像形成装置本体から定着装置が引き出されることを防ぐことのできる定着装置及び画像形成装置を提供することを目的とする。
【課題を解決するための手段】
【０００９】
上記課題を解決するため、本発明に係る定着装置は、回転可能な加熱部材と、前記加熱部材に接触する加圧ローラーと、駆動源から伝達された回転力を、前記加圧ローラーを前記加熱部材に押し当てる加圧力に変換し、前記加圧ローラーと前記加熱部材との間に、用紙が挟持搬送される加圧領域を形成する加圧機構と、前記加圧ローラーに前記加圧力を加える加圧動作と連動して画像形成装置本体に嵌まり込み、前記加圧力を取り除く加圧解除動作の完了と連動して前記画像形成装置本体から外れるロック機構と、を備えることを特徴とする。
【００１０】
本発明に係る定着装置において、前記加圧機構は、前記加圧ローラーを挟んで前記加熱部材の反対側において前記加圧ローラーの外周面に平行に配置され、前記駆動源から前記回転力が伝達される回転軸と、前記回転軸に固定され、前記加圧ローラーを支持する支持部に接触し、前記回転力を前記加圧力に変換する偏芯カムと、を備え、前記ロック機構は、前記回転軸に固定された端面カムと、前記端面カムの端面に接触し、前記定着装置を収容する筐体に設けられた孔を貫通するロックレバーと、前記ロックレバーを前記筐体の内部へ向かって付勢する付勢手段と、を備え、前記端面カムの端面は、前記加圧動作における前記偏芯カムの回転により、前記偏芯カムと前記支持部との接触点と、前記偏芯カムの回転中心との距離が増加するにつれて、前記ロックレバーの押し出し量が増加するように傾斜した傾斜部を有し、前記ロックレバーは、前記加圧解除動作における前記偏芯カムの回転により前記接触点と前記回転中心との距離が前記加圧解除動作の完了に対応する距離以下となった場合に、前記画像形成装置本体から外れることを特徴としてもよい。
【００１１】
本発明に係る定着装置において、前記偏芯カムが前記加圧解除動作の完了に対応する回転角に位置することを検知する検知手段を備え、前記加圧機構は、前記加圧解除動作において前記偏芯カムが前記回転角に達したことが前記検知手段により検知されるまで、前記加圧解除動作を継続することを特徴としてもよい。
【００１２】
また、本発明に係る画像形成装置は、前記用紙にトナー像を形成する画像形成部と、前記トナー像を前記用紙に定着する上記のいずれかの定着装置と、前記ロックレバーが嵌め込まれる孔と、を備えることを特徴とする。
【発明の効果】
【００１３】
本発明によれば、定着装置がモーター等から伝達される回転力を加圧力に変換する加圧機構を備える場合に、加圧が解除される前に画像形成装置本体から定着装置が引き出されることを防ぐことができる。
【図面の簡単な説明】
【００１４】
【図１】本発明の一実施形態に係るプリンターの内部構成を模式的に示す正面図である。
【図２】本発明の一実施形態に係る定着装置の筐体の外観を示す斜視図である。
【図３】本発明の一実施形態に係る定着装置の斜視図である。
【図４】本発明の一実施形態に係る定着装置の断面図である。
【図５】本発明の一実施形態に係る定着装置の電気的構成を示すブロック図である。
【図６】本発明の一実施形態に係る加圧機構及びロック機構の斜視図である。
【図７】本発明の一実施形態に係るカム部の斜視図である。
【図８】本発明の一実施形態に係るカム部の斜視図である。
【図９】本発明の一実施形態に係るカム部の斜視図である。
【図１０】本発明の一実施形態に係るカム部の斜視図である。
【図１１】本発明の一実施形態に係るロック機構の平面図である。
【図１２】本発明の一実施形態に係るロック機構の平面図である。
【発明を実施するための形態】
【００１５】
以下、図面を参照しつつ本発明の画像形成装置及び定着装置について説明する。
【００１６】
図１を参照して、画像形成装置としてのプリンター１の全体の構成について説明する。図１はプリンター１の内部構成を模式的に示す正面図である。以下、図１における紙面手前側をプリンター１の正面側（前側）とし、左右の向きはプリンター１を正面から見た方向を基準として説明する。各図において、Ｕ、Ｌｏ、Ｌ、Ｒ、Ｆｒ、Ｒｒは、それぞれ上、下、左、右、前、後を示す。
【００１７】
プリンター１の装置本体２には、用紙Ｓが収容される給紙カセット３と、給紙カセット３から用紙Ｓを送り出す給紙装置５と、用紙Ｓにトナー像を形成する画像形成部７と、トナー像を用紙Ｓに定着する定着装置９と、トナー像が定着された用紙Ｓを排出する排紙装置１１と、排出された用紙Ｓが受け止められる排紙トレイ１３と、が備えられている。さらに、装置本体２には、給紙装置５から、画像形成部７、定着装置９を経て排紙装置１１に向かう用紙Ｓの搬送経路１５が形成されている。
【００１８】
給紙装置５によって給紙カセット３から給紙された用紙Ｓは、搬送経路１５に沿って画像形成部７に搬送され、用紙Ｓにフルカラーのトナー像が形成される。用紙Ｓは搬送経路１５に沿って定着装置９に送られ、トナー像が用紙Ｓに定着される。トナー像が定着された用紙Ｓは、排紙装置１１から排紙トレイ１３に排出される。
【００１９】
次に、図２乃至６を参照して、定着装置９の構成について説明する。図２は、定着装置９の筐体９１の外観を示す斜視図である。図３は、定着装置９の斜視図である。図４は、定着装置９の断面図である。図５は、定着装置９の電気的構成を示すブロック図である。図６は、加圧機構３０及びロック機構５０の斜視図である。
【００２０】
定着装置９は、図２に示される概ね直方体の筐体９１に収容されている。画像形成部７から搬送されてくる用紙Ｓは、筐体９１の下面に形成された開口部（図示省略）から搬入される。定着装置９によってトナーが定着された用紙Ｓは、筐体９１の上面に形成された開口部９３から搬出される。
【００２１】
図３及び４に示されるように、定着装置９は、回転可能な定着ベルト２１（加熱部材の一例）と、定着ベルト２１を加熱するヒーター２３と、ヒーター２３を保持するホルダー２５と、定着ベルト２１に接触する加圧ローラー２７と、を備える。
【００２２】
本実施形態では、定着ベルト２１の右側に加圧ローラー２７が位置する姿勢で定着装置９が配置された例を示すが、定着装置９はいかなる姿勢で配置されてもよい。以下の説明において、「軸方向Ｘ」とは、加圧ローラー２７の軸方向（前後方向）を指す。
【００２３】
定着ベルト２１は、軸方向Ｘを長手方向とする円筒状のベルトであり、所定の内径を有し、用紙Ｓの幅よりも長い幅を有する。定着ベルト２１は、可撓性を有する材料で形成され、基材層と、基材層の外周面に設けられる弾性層と、弾性層の外周面に設けられる離型層と、を有している。基材層は、ステンレス鋼やニッケル合金等の金属で形成される。弾性層は、シリコンゴム等で形成される。離型層は、ＰＦＡチューブ等で形成される。基材層の内周面に摺動層が形成される場合もある。摺動層は、ポリイミドアミドやＰＴＦＥ等で形成される。
【００２４】
定着ベルト２１の中空部には、ステー２４が貫通しており、ステー２４の両端は筐体９１に固定されている。ステー２４は、ステンレス鋼やアルミニウム合金等の金属で形成される。定着ベルト２１は、ステー２４に支持された円弧状のベルトガイド（図示省略）に支持され、ベルトガイドに沿って回転可能である。
【００２５】
ヒーター２３は、例えば面状ヒーターであり、軸方向Ｘを長手方向とする概ね矩形の板状に形成されている。ヒーター２３は、基材と、断熱層と、発熱接触部と、を含み、各部は、基材、断熱層、発熱接触部の順に積層されている。
【００２６】
ホルダー２５は、定着ベルト２１の幅と同等の長さを有する部材であり、ステー２４に固定されている。ホルダー２５は、例えば、液晶ポリマー等の耐熱性の樹脂で形成されている。ヒーター２３は、発熱接触部が露出するように、ホルダー２５における加圧ローラー２７に対向する部位に配置されている。ホルダー２５は、ヒーター２３の発熱接触部を定着ベルト２１の内周面に接触するように保持する。
【００２７】
加圧ローラー２７は、芯金と、芯金の外周面に設けられる弾性層と、弾性層の外周面に設けられる離型層と、を有している。弾性層は、シリコンゴム等で形成される。離型層は、ＰＦＡチューブ等で形成される。加圧ローラー２７は、定着ベルト２１を介して、ヒーター２３に押し当てられるように支持される。すなわち、加圧ローラー２７は、ヒーター２３との間に定着ベルト２１を挟持し、定着ベルト２１との間に加圧領域Ｎを形成する。加圧ローラー２７は、モーター等の駆動源２８により駆動される。
【００２８】
上記構成を有する定着装置９の定着動作を説明する。加圧ローラー２７が駆動されて回転すると、定着ベルト２１が加圧ローラー２７の回転方向と反対の方向に従動回転し、定着ベルト２１の内周面がヒーター２３の発熱接触部に対して摺動する。ヒーター２３に電力が供給されると、定着ベルト２１が加熱される。定着ベルト２１が所定の温度に達した後、トナーが転写された用紙Ｓが加圧領域Ｎに搬送される。加圧領域Ｎにおいて、用紙Ｓは定着ベルト２１と加圧ローラー２７とに挟持されて決められた搬送方向Ｙに搬送される。このとき、定着ベルト２１によってトナーが加熱及び加圧され、トナーが用紙Ｓに定着される。トナーが定着された用紙Ｓは、定着ベルト２１から分離されて、搬送経路１５に沿って搬送される。
【００２９】
図５に示されるように、プリンター１は、制御部７１と記憶部７３を有し、制御部７１には、駆動源２８、ヒーター２３、駆動源６２が接続されている。制御部７１は、ＣＰＵ等の演算装置である。記憶部７３は、ＲＯＭ、ＲＡＭ等の記憶装置である。制御部７１は、記憶部７３に記憶された制御プログラムや制御用データを用いて、定着装置９の各部を制御する。
【００３０】
次に、図２、３、６乃至１２を参照して、加圧機構３０及びロック機構５０について説明する。図３に示されるように、加圧機構３０及びロック機構５０は、定着装置９の前後方向の両端部に配置されている。両端部に配置された加圧機構３０及びロック機構５０は、前後方向を法線とする平面を対称面とする概ね面対称の構造を有する。従って、ここでは、定着装置９の前端部に配置された加圧機構３０及びロック機構５０について説明する。図６は、加圧機構３０及びロック機構５０の斜視図である。図７乃至１０は、カム部６０の斜視図である。図１１は、加圧解除状態（ロック解除状態）におけるロック機構５０の平面図である。図１２は、加圧状態におけるロック機構５０の平面図である。
【００３１】
定着装置９は、モーター等の駆動源６２から伝達された回転力を、加圧ローラー２７を定着ベルト２１に押し当てる加圧力に変換し、加圧ローラー２７と定着ベルト２１との間に、用紙Ｓが挟持搬送される加圧領域Ｎを形成する加圧機構３０と、加圧ローラー２７に加圧力を加える加圧動作と連動してプリンター１本体に嵌まり込み、加圧力を取り除く加圧解除動作の完了と連動してプリンター１本体から外れるロック機構５０と、を備える。
【００３２】
最初に、加圧機構３０の構成について説明する。図６に示されるように、加圧機構３０は、加圧ローラー２７を挟んで定着ベルト２１の反対側において加圧ローラー２７の外周面に平行に配置され、駆動源６２から回転力が伝達される回転軸３２と、回転軸３２に固定され、加圧ローラー２７を支持する支持部３３に接触し、回転力を加圧力に変換する偏芯カム３１と、を備える。
【００３３】
支持部３３は、支持レバー３４と伝達レバー３５と軸受３７とバネ３８とローラー３９とを備える。支持レバー３４は、上下方向を長手方向とするレバーであり、溝形の断面を有する。支持レバー３４の下部には孔３６が形成されており、筐体９１側に設けられたピン（図示省略）が孔３６に嵌め込まれ、ピンを中心として支持レバー３４が回転可能となっている。支持レバー３４の上下方向の中央部には、加圧ローラー２７の軸を支持する軸受３７が配置されている。
【００３４】
伝達レバー３５は、上下方向を長手方向とするレバーであり、溝形の断面を有する。伝達レバー３５の下部は、支持レバー３４の下部とピン（図示省略）で結合され、伝達レバー３５が支持レバー３４に対して回転可能となっている。伝達レバー３５の上部と支持レバー３４の上部とは、バネ３８で結合されている。伝達レバー３５の上下方向の中央部には、ローラー３９が配置されている。
【００３５】
偏芯カム３１は、後述する端面カム５１と一体に形成され、偏芯カム３１と端面カム５１とでカム部６０が構成される。カム部６０には、回転軸３２を挿入するための孔６１が形成されており、カム部６０は回転軸３２に固定される。偏芯カム３１の左側にローラー３９が接触する。図６では、加圧機構３０による加圧が解除された状態（以下、加圧解除状態という。）が示されている。図６乃至９に示されるカム部６０の姿勢は、加圧解除状態における姿勢である。図９に示されるように、偏芯カム３１の外周面は、正回転方向Ｆｗにカム部６０を回転させた場合に、回転角が増加するにつれて、偏芯カム３１とローラー３９との接触点と、偏芯カム３１の回転中心との距離が増加する（接触点が左方向に移動する）ように形成されている。
【００３６】
次に、ロック機構５０の構成について説明する。図２、６乃至１２に示されるように、ロック機構５０は、回転軸３２に固定された端面カム５１と、端面カム５１の端面５２に接触し、定着装置９を収容する筐体９１に設けられた孔９２を貫通するロックレバー５３と、ロックレバー５３を筐体９１の内部へ向かって付勢するバネ５６（付勢手段の一例）と、を備える。
【００３７】
図７及び８に示されるように、端面カム５１の端面５２は、加圧解除状態から正回転方向Ｆｗにカム部６０を回転させた場合に、回転角が増加するにつれて、ロックレバー５３の後端部との接触点が前方に移動するように螺旋状に形成された傾斜部５５を有する。傾斜部５５は、周方向における概ね１８０°の区間に形成されており、残りの区間は軸方向Ｘを法線とする平面部５８となっている。
【００３８】
ロックレバー５３は、軸方向Ｘを長手方向とする棒状の部材であり、筐体９１に設けられた孔９２を貫通するように配置されている。プリンター１本体には、定着装置９がプリンター１に装着されたときの孔９２に対応する位置に、ロックレバー５３の前端部が進入可能な凹部１１が形成されている。ロックレバー５３における長手方向の中央付近にフランジ５４が形成されており、孔９２の周囲の壁面とフランジ５４との間にバネ５６が挿入されている。なお、図６及び１１に示される加圧解除状態においては、ロック機構５０は、定着装置９のロックが解除されたロック解除状態となっている。
【００３９】
図６乃至１２を参照して加圧機構３０及びロック機構５０の動作を説明する。制御部７１がカム部６０を正回転方向Ｆｗに回転させることによって、加圧機構３０による加圧動作とロック機構５０によるロック動作が並行して行われる。制御部７１がカム部６０を逆回転方向（正回転方向Ｆｗの逆方向）に回転させることによって、加圧機構３０による加圧解除動作とロック機構５０によるロック解除動作が並行して行われる。
【００４０】
最初に、加圧動作について説明する。カム部が正回転方向Ｆｗに回転すると、偏芯カム３１がローラー３９を介して伝達レバー３５を押し込む。すると、伝達レバー３５を押し込む力がバネ３８を介して支持レバー３４に伝達され、加圧ローラー２７が定着ベルト２１に押し当てられる。つまり、駆動源６２から回転軸３２に伝達された回転力が、加圧ローラー２７を定着ベルト２１に押し当てる加圧力に変換される。回転角が増加するにつれて、偏芯カム３１による伝達レバー３５の押し込み量が増加し、その結果、加圧力も増加する。
【００４１】
次に、ロック動作について説明する。カム部６０が正回転方向Ｆｗに回転すると、端面カム５１がバネ５６の付勢力に抗してロックレバー５３を軸方向Ｘの前方に押し出す。回転角が増加するにつれて、端面カム５１によるロックレバー５３の押し出し量が増加する。つまり、偏芯カム３１による伝達レバー３５の押し込み量が増加するにつれて、端面カム５１によるロックレバー５３の押し出し量が増加する。ロックレバー５３の押し出し量が増加するにつれて、ロックレバー５３が筐体９１の孔９２から筐体９１の外部に向かって徐々に突き出され、プリンター１本体に設けられた凹部１１に進入する。ロックレバー５３が凹部１１に進入することにより、定着装置９をプリンター１本体から引き出すことができなくなる。
【００４２】
図１２に示されるように、端面カム６１の正回転方向Ｆｗのおよそ１８０°の回転により、ロックレバー５３の後端部が平面部５８に乗り上げて押し出し量が最大となり、ロック動作が完了する。
【００４３】
偏芯カム３１の外周面は、ロック動作完了後、正回転方向Ｆｗの回転角がさらに増加するにつれて、偏芯カム３１と支持部３３との接触点と、偏芯カム３１の回転中心との距離が増加するように構成されている。この構成により、定着装置９は、ロック動作が完了した状態において、加圧力の調整が可能となっている。
【００４４】
次に、加圧解除動作について説明する。カム部６０の逆回転方向の回転角が増加するにつれて、偏芯カム３１と支持部３３との接触点と、偏芯カム３１の回転中心との距離が減少し、その結果、加圧力が減少する。
【００４５】
次に、ロック解除動作について説明する。ロックレバー５３の後端部が端面カム５１の平面部５８に乗り上げている間は、カム部６０を逆回転方向に回転させても、ロックレバー５３の前後方向の位置は変化しない。ロックレバー５３の後端部との接触点が傾斜部５５に移ると、逆回転方向の回転角が増加するにつれて、バネ５６の付勢により、ロックレバー５３の後端部と傾斜部５５との接触点が後方に移動する。従って、逆回転方向の回転角が増加するにつれて、ロックレバー５３の押し出し量が減少する。
【００４６】
カム部６０の姿勢が図６及び１１に示される状態（加圧解除状態）に至ると、ロックレバー５３の前端部は、完全にプリンター１の孔１１から抜け出した状態となる。つまり、ロックレバー５３は、加圧解除動作における偏芯カム３１の回転により接触点と回転中心との距離が加圧解除動作の完了に対応する距離以下となった場合に、プリンター１本体から外れる。よって、本実施形態によれば、加圧が解除される前にプリンター１本体から定着装置９が引き出されることを防ぐことができる。
【００４７】
なお、加圧解除動作は、偏芯カム３１が加圧解除動作の完了に対応する回転角に達したことが検知手段により検知されるまで継続するように制御されてもよい。具体的には、図６に示されるように、検知手段として、回転軸３２の近傍にフォトインターラプター８１が配置され、回転軸３２には、遮光板８２が配置される。フォトインターラプター８１は、対向する発光部と受光部を備え、発光部からの光を遮光板８２が遮るのを受光部で検出することによって、遮光板８２の位置を判定する。図６に示される加圧解除状態においては、遮光板８２がフォトインターラプター８１の光を遮る位置に配置され、制御部７１は、フォトインターラプター８１の光が遮られたことにより、加圧解除状態であることを検知する。
【００４８】
なお、加圧解除動作が完了した状態とは、加圧ローラー２７と定着ベルト２１とが接触しなくなった状態でもよく、加圧ローラー２７と定着ベルト２１とが接触しているが、加圧ローラー２７を定着ベルト２１に押し当てる加圧力がなくなった状態でもよく、加圧ローラー２７と定着ベルト２１とが接触し、且つ、加圧ローラー２７と定着ベルト２１とに挟持された用紙を容易に取り除くことができる程度の加圧力が残っている状態でもよい。
【００４９】
上記実施形態では、偏芯カム３１と端面カム５１が一体の部材として形成されているが、偏芯カム３１と端面カム５１が別々の部材として形成されていてもよい。
【００５０】
上記実施形態で例示した定着ベルト２１に代えて、定着ローラーが用いられてもよい。
要するに、加熱部材は、加圧ローラー２７に接触して従動回転する部材であればよい。
【００５１】
上記実施形態ではヒーター２３の一例として面状ヒーターを示したが、ＩＨヒーター、ハロゲンランプ等が用いられてもよい。
【００５２】
上記実施形態で例示したフォトインターラプター８１及び遮光板８２に代えて、ロータリーエンコーダーが用いられてもよい。
【００５３】
上記した本発明の実施形態の説明は、本発明に係る定着装置及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５４】
１  プリンター（画像形成装置）
７  画像形成部
９  定着装置
１０  搬送装置
２１  定着ベルト（回転部材）
２３  ＩＨヒーター（加熱部）
２７  加圧ローラー
３０  加圧機構
３１  偏芯カム
３２  回転軸
３３  支持部
５０  ロック機構
５１  端面カム
５３  ロックレバー
５５  傾斜部
５６  バネ（付勢手段）
６２駆動源
８１  フォトインターラプター（検知手段）
８２  遮光板（検知手段）
【図１】
2019191363.tif 000003
【図２】
2019191363.tif 000004
【図３】
2019191363.tif 000005
【図４】
2019191363.tif 000006
【図５】
2019191363.tif 000007
【図６】
2019191363.tif 000008
【図７】
2019191363.tif 000009
【図８】
2019191363.tif 000010
【図９】
2019191363.tif 000011
【図１０】
2019191363.tif 000012
【図１１】
2019191363.tif 000013
【図１２】
2019191363.tif 000014